(57)【要約】【課題】プロジェクタを据置姿勢および天吊り姿勢の双方で使用しても光源の上下の温度差を低減し、光源の長寿命化を図ることが可能なプロジェクタを提供する。【解決手段】光源冷却部６００は、重心Ｗが鉛直面ＨＹの突出部６２１側に位置することから、突出部６２１は、重力作用によって下側筐体８４０の突起８４２と当接するまで下降し、これに応じて吐出口６１２は、上昇して光源１１１の上側を向く。冷却空気は、光源１１１の下側の部位１１１ａ（流れＦ２２）より上側の部位１１１ｂ（流れＦ２１）に多く流れ、光源の上側をより冷却する。【選択図】図４
2008233150.tif 000002
【特許請求の範囲】
【請求項１】
光束を射出する光源と、前記光源から射出された光束を画像信号に応じて変調して画像光を形成する光変調部と、前記画像光を投写する投写光学部とを備えたプロジェクタであって、
前記プロジェクタは、前記光源を冷却する冷却空気を吐出口から吐出する光源冷却部を備え、
前記光源冷却部は、前記光源の上下方向の異なる位置に向けて前記冷却空気を吐出するように可動することを特徴とするプロジェクタ。
【請求項２】
請求項１に記載のプロジェクタであって、
前記光源冷却部は、前記冷却空気を吐出するシロッコファンを有することを特徴とするプロジェクタ。
【請求項３】
請求項１または２に記載のプロジェクタであって、
前記光源冷却部は、前記光源の上下方向の異なる位置に向けて前記冷却空気を吐出するように回動することを特徴とするプロジェクタ。
【請求項４】
請求項１〜３のいずれか一項に記載のプロジェクタであって、
前記光源冷却部は、前記プロジェクタの姿勢の変化に連動して可動し、前記光源の上側に向けて前記冷却空気を吐出することを特徴とするプロジェクタ。
【請求項５】
請求項３に記載のプロジェクタであって、
前記光源冷却部の重心は、該光源冷却部が回動する回動中心軸を通る鉛直面に対し、前記吐出口が配置された側とは反対側に位置することを特徴とするプロジェクタ。
【請求項６】
請求項５に記載のプロジェクタであって、
前記光源冷却部は、前記シロッコファンと、該シロッコファンを固定するホルダより構成され、
前記ホルダは、前記吐出口が配置された側とは反対側に突出する突出部を有することを特徴とするプロジェクタ。
【発明の詳細な説明】
【技術分野】
【０００１】
本発明は、光源から射出された光束を変調して画像光を投写するプロジェクタに関する。
【背景技術】
【０００２】
プロジェクタの光源としては、超高圧水銀ランプ等の放電ランプが利用されている。この光源が適正な輝度特性やスペクトル特性を発揮するためには、光源（発光管）の温度を所定の範囲内に維持する必要がある。このため、多くの場合、冷却ファンを用いて光源を冷却し、点灯に伴う光源の温度上昇を抑制している（特許文献１参照）。また、光源は、その下側（鉛直方向の下側）よりも上側（鉛直方向の上側）の温度上昇が著しいため、光源の上下で温度差が生じやすい。光源の上側が下側より高温になるのは、電極間のアークが封入ガスの対流により重力方向に反して浮揚してくるためである。この温度差は、光源の寿命を低減させる原因になるため、光源を冷却する際には、上側ほど効率的に冷却し、上下の温度差をなくすことが望ましい。
【０００３】
【特許文献１】特開２００６−３４３５６５号公報
【発明の開示】
【発明が解決しようとする課題】
【０００４】
しかしながら、多くのプロジェクタは、机上等に載置される据置姿勢と、その姿勢から天地を反転させた状態で天井等に設置される天吊り姿勢で用いることが可能になっている。このプロジェクタを天吊り姿勢で利用する際には、据置姿勢で光源の下側だった部位は、上側になって温度が高くなり、据置姿勢で光源の上側だった部位は、下側になって温度が低くなる。そのため、据置姿勢で光源の上側を下側より冷却して、光源の上下に温度差が少ない適正な冷却をしても、天吊り姿勢にした場合、光源の下側を上側より冷却してしまうことになり、光源の上下に適正範囲を超えた温度差が生じる場合がある。
本発明は、上記課題に鑑みてなされたものであり、その目的は、プロジェクタを据置姿勢および天吊り姿勢の双方で使用しても光源の上下の温度差を低減し、光源の長寿命化を図ることが可能なプロジェクタを提供することにある。
【課題を解決するための手段】
【０００５】
本発明のプロジェクタは、光束を射出する光源と、前記光源から射出された光束を画像信号に応じて変調して画像光を形成する光変調部と、前記画像光を投写する投写光学部とを備えたプロジェクタであって、前記光源を冷却する冷却空気を吐出口から吐出する光源冷却部を備え、前記光源冷却部は、前記光源の上下方向の異なる位置に向けて前記冷却空気を吐出するように可動することを特徴とする。
【０００６】
この構成によれば、光源冷却部は、プロジェクタの姿勢の変化に連動して、光源の上下方向の異なる位置に向けて冷却空気を吐出するように可動するため、据置姿勢および天地反転させた天吊り姿勢の双方の場合において、光源の上側に向けて冷却空気を吐出することが可能となる。これによって、光源の上下の温度差が低減されるため、光源の長寿命化を図ることが可能となる。
【０００７】
このプロジェクタにおいて、前記光源冷却部は、前記冷却空気を吐出するシロッコファンを有することが望ましい。
【０００８】
この構成によれば、光源冷却部は、羽根の回転により取り込んだ冷却空気を、回転接線方向に範囲を絞って吐出するシロッコファンを備えているため、光源を効率よく冷却することができる。
【０００９】
このプロジェクタにおいて、前記光源冷却部は、前記光源の上下方向の異なる位置に向けて前記冷却空気を吐出するように回動することが望ましい。
【００１０】
この構成によれば、光源冷却部が回動することによって、光源の上下方向の異なる位置に向けて冷却空気を吐出する構成であるため、例えば、光源冷却部自体を上下動させる構成に比べて、簡略な構成とすることが可能となる。
【００１１】
このプロジェクタにおいて、前記光源冷却部は、前記プロジェクタの姿勢の変化に連動して可動し、前記光源の上側に向けて前記冷却空気を吐出することが望ましい。
【００１２】
この構成によれば、光源冷却部は、プロジェクタの姿勢を変えることによって、光源の上側に向けて冷却空気を吐出するよう可動するので、使用者によって光源冷却部を可動させる操作が不要となり、使用者に煩わしさを与えない。また、使用者による誤操作に起因する光源の劣化を抑制することができる。
【００１３】
このプロジェクタにおいて、前記光源冷却部の重心は、該光源冷却部が回動する回動中心軸を通る鉛直面に対し、前記吐出口が配置された側とは反対側に位置することが望ましい。
【００１４】
この構成によれば、光源冷却部が回動可能であるとともに、その重心が回動中心軸を通る鉛直面に対し、吐出口が配置された側とは反対側にあるため、据置姿勢および天吊り姿勢の双方の場合において、吐出口が上側を向くことになる。このため、光源の上下の温度差を容易に低減することが可能となる。
【００１５】
このプロジェクタにおいて、前記光源冷却部は、前記シロッコファンと、該シロッコファンを固定するホルダより構成され、前記ホルダは、前記吐出口が配置された側とは反対側に突出する突出部を有することが望ましい。
【００１６】
この構成によれば、光源冷却部が、吐出口が配置された側とは反対側に突出する突出部を有するホルダを備えることにより、重心は、光源冷却部が回動する回動中心軸を通る鉛直面に対し、吐出口が配置された側とは反対側に位置することが可能になる。よって、据置姿勢および天吊り姿勢の双方の場合において、吐出口が上側を向くように、重心位置を調整することが容易となる。
【発明を実施するための最良の形態】
【００１７】
以下、本発明の実施形態に係るプロジェクタについて、図面を参照して説明する。
プロジェクタは、光源から射出された光束を画像信号に応じて変調して画像光を形成し、その画像光をスクリーン等の投写面上に拡大投写する光学機器である。本実施形態のプロジェクタは、机上等に載置される据置姿勢と、その姿勢から天地を反転させた状態で天井等に設置される天吊り姿勢で利用可能になっている。
【００１８】
図１は、本実施形態のプロジェクタの外観を示す斜視図であり、（ａ）は、据置姿勢のプロジェクタを示す図、（ｂ）は、天吊り姿勢のプロジェクタを示す図である。
図１（ａ）に示すように、プロジェクタ１を机ＴＢ等の上に設置して利用する場合には、プロジェクタ１は、据置姿勢で載置され、底面に備えられた１つの前脚８１０と２つの後脚８２０（図示は１つのみ）で支持される。また、図１（ｂ）に示すように、プロジェクタ１を天井に設置する場合には、プロジェクタ１は、底面に天吊り金具８８０が取り付けられ、天吊り金具８８０によって天吊り姿勢で固定される。
【００１９】
図２は、本実施形態のプロジェクタ１の概略構成を示す図である。
図２に示すように、プロジェクタ１は、照明光学部１００と、色分離光学部２００と、リレー光学部３００と、光変調部である液晶ライトバルブ４００Ｒ，４００Ｇ，４００Ｂと、クロスダイクロイックプリズム４５０と、投写光学部５００と、光源冷却部６００と、排気ファン７００と、筐体８００とを備えている。
【００２０】
照明光学部１００は、光源装置１１０と、第１のレンズアレイ１２０と、第２のレンズアレイ１３０と、偏光変換素子１４０と、重畳レンズ１５０とを有している。
光源装置１１０は、光源１１１、リフレクタ１１２、光源１１１とリフレクタ１１２とを収容して固定する光源用筐体１１４、光束を射出するために光源用筐体１１４に設けられた開口部を覆う前面ガラス１１３等を備えて構成されている。なお、光源用筐体１１４の両側面には、冷却空気が通過するための孔１１４ａ，１１４ｂがそれぞれ形成されている。
光源１１１から射出された放射状の光束は、リフレクタ１１２で反射されて略平行光束となり、前面ガラス１１３を透過して第１のレンズアレイ１２０へと射出される。本実施形態では、光源１１１として、超高圧水銀ランプを採用し、リフレクタ１１２として、放物面鏡を採用している。なお、光源１１１としては、超高圧水銀ランプに限らず、例えばメタルハライドランプ等を採用してもよい。また、リフレクタ１１２としては、放物面鏡に限らず、楕円面鏡からなるリフレクタの射出面に平行化凹レンズを配置した構成を採用してもよい。
【００２１】
光源１１１から射出された光束は、第１のレンズアレイ１２０によって複数の微小な部分光束に分割され、各部分光束は、第２のレンズアレイ１３０及び重畳レンズ１５０によって照明対象である３つの液晶ライトバルブ４００Ｒ，４００Ｇ，４００Ｂの表面で重畳される。第１のレンズアレイ１２０および第２のレンズアレイ１３０は、小レンズをマトリクス状に配列して形成されている。
偏光変換素子１４０は、ランダム偏光の光束を３つの液晶ライトバルブ４００Ｒ，４００Ｇ，４００Ｂで利用可能な偏光方向を有する偏光光に揃える機能を有している。
【００２２】
色分離光学部２００は、照明光学部１００から射出された光束を、それぞれ異なる波長域の３色の光束に分離する機能を有している。第１のダイクロイックミラー２１０は、赤色光成分（以下「Ｒ光」という。）を反射させるとともに、緑色光成分（以下「Ｇ光」という。）及び青色光成分（以下「Ｂ光」という。）を透過する。第１のダイクロイックミラー２１０で反射したＲ光は、反射ミラー２３０で反射され、平行化レンズ２４０Ｒを透過してＲ光用の液晶ライトバルブ４００Ｒを照明する。平行化レンズ２４０Ｒは、照明光学部１００からの複数の部分光束を、それぞれ液晶ライトバルブ４００Ｒを照明するように集光する。通常、各部分光束が、それぞれ略平行な光束となるように設定されている。他の液晶ライトバルブ４００Ｇ，４００Ｂの前に配設された平行化レンズ２４０Ｇ，２４０Ｂも、平行化レンズ２４０Ｒと同様の機能を有している。
【００２３】
第２のダイクロイックミラー２２０は、Ｇ光を反射させるとともに、Ｂ光を透過する。このため、第１のダイクロイックミラー２１０を透過したＧ光とＢ光のうちＧ光は、第２のダイクロイックミラー２２０によって反射され、平行化レンズ２４０Ｇを透過してＧ光用の液晶ライトバルブ４００Ｇを照明する。一方、Ｂ光は、第２のダイクロイックミラー２２０を透過し、リレー光学部３００を通過して、さらに平行化レンズ２４０Ｂを通って、Ｂ光用の液晶ライトバルブ４００Ｂを照明する。
【００２４】
リレー光学部３００は、入射側レンズ３１０、入射側反射ミラー３２０、リレーレンズ３３０および射出側反射ミラー３４０を有している。色分離光学部２００から射出されたＢ光は、入射側レンズ３１０によってリレーレンズ３３０の近傍で収束し、平行化レンズ２４０Ｂ（射出側反射ミラー３４０）に向かって発散する。平行化レンズ２４０Ｂに入射する光束の大きさは、入射側レンズ３１０に入射する光束の大きさに略等しくなるように設定されている。このように、Ｂ光にリレー光学部３００が用いられているのは、Ｂ光の光路の長さが他の色光の光路長さよりも長いため、光の発散等による光の利用効率の低下を防止するためである。なお、リレー光学部３００は、３つの色光の中で、Ｂ光を通す構成としたが、これに限らず、例えば、Ｒ光を通す構成としてもよい。
【００２５】
液晶ライトバルブ４００Ｒ，４００Ｇ，４００Ｂは、それぞれ透過型の液晶パネルとその両面に配置された入射側偏光板、射出側偏光板を有して構成されている。液晶ライトバルブ４００Ｒ，４００Ｇ，４００Ｂは、それぞれの表面に入射した各色光を、それぞれに対応する画像信号に応じて変調し、各色光の画像光を形成してクロスダイクロイックプリズム４５０に射出する。
クロスダイクロイックプリズム４５０は、液晶ライトバルブ４００Ｒ，４００Ｇ，４００Ｂから射出された各色光の画像光を合成して、カラー画像を表す画像光を形成し、投写光学部５００に射出する。
投写光学部５００は、投写レンズを有し、クロスダイクロイックプリズム４５０からの画像光をスクリーン等に拡大投写する。
【００２６】
光源冷却部６００は、光源装置１１０の近傍に配置され、冷却空気を光源１１１に吐出し、点灯に伴う光源１１１の温度上昇を抑制する。排気ファン７００は、光源１１１を冷却した空気をプロジェクタ１の外部に排出する。筐体８００は、照明光学部１００、色分離光学部２００、リレー光学部３００、液晶ライトバルブ４００Ｒ，４００Ｇ，４００Ｂ、クロスダイクロイックプリズム４５０、投写光学部５００、光源冷却部６００、排気ファン７００および図示しない電源装置等の構成部品を収納する。
【００２７】
図３は、光源冷却部６００を説明する図であり、（ａ）は、側面図、（ｂ）は、正面図である。
図３（ａ）、（ｂ）に示すように、光源冷却部６００は、シロッコファン６１０とホルダ６２０とを有して構成される。シロッコファン６１０は、羽根の回転により吸気口６１１から取り込んだ冷却空気を、吐出口６１２から羽根の回転接線方向に、範囲を絞って吐出する。ホルダ６２０は、シロッコファン６１０の吸気口６１１側の面とは反対側の面６１０ａに当接する板状のベース部６２５と、ベース部６２５に突設された軸６５１とを有しており、ベース部６２５がシロッコファン６１０の外周部に形成された孔６１３，６１４にネジ止めされることにより、シロッコファン６１０に固定されている。
【００２８】
軸６５１は、シロッコファン６１０と当接する面の反対側に略垂直に突設され、側面視でシロッコファン６１０の略中央と重なる位置に設けられている。軸６５１の端部には、直径が軸６５１より大きい円板状の保持部６５２が形成されている。また、ホルダ６２０のベース部６２５は、軸６５１の軸心６５０を通る鉛直面ＨＹに対し、吐出口６１２が配置された側とは反対側に、シロッコファン６１０の外形より飛び出た突出部６２１を有している。この突出部６２１の寄与もあって、光源冷却部６００の重心Ｗも鉛直面ＨＹに対し、吐出口６１２が配置された側とは反対側（突出部６２１側）に位置している。
【００２９】
図４は、据置姿勢のプロジェクタ１の断面図であり、（ａ）は、図２におけるＡ−Ａ断面図、（ｂ）は、図２におけるＢ−Ｂ断面図である。
図４（ａ）、（ｂ）に示すように、筐体８００は、上側筐体８３０と下側筐体８４０とを有して構成されている。
上側筐体８３０には、内側に向かって突出した軸受部８３１と突起８３２とが形成されている。下側筐体８４０には、内側に向かって突出した軸受部８４１と突起８４２とが形成されている。
【００３０】
光源冷却部６００は、シロッコファン６１０の面６１０ａが略鉛直となるように、軸６５１が軸受部８３１と軸受部８４１とに支えられており、軸心６５０を中心軸にして回動することができる。また、軸受部８３１，８４１は、その端部がホルダ６２０のベース部６２５と保持部６５２との間に入りこんでおり、光源冷却部６００の軸心６５０方向の動きを規制している。なお、保持部６５２は、円板状でなくとも、光源冷却部６００の軸心６５０方向の動きを規制できれば他の形状であってもよい。
【００３１】
光源冷却部６００は、重心Ｗが鉛直面ＨＹの突出部６２１側に位置することから、突出部６２１は、重力作用によって下側筐体８４０の突起８４２と当接するまで下降し、これに応じて吐出口６１２は、上昇して光源１１１の上側を向く。なお、図４（ｂ）に示すように、光源冷却部６００が多少の振動等に敏感に反応して回動しないよう、軸６５１と軸受部８３１，８４１との間には、それぞれ摩擦部材８３５，８４５が配置されている。
【００３２】
ここで、据置姿勢のプロジェクタ１における冷却空気の流れについて説明する。
図２、図４に示すように、シロッコファン６１０は、吸気口６１１から冷却空気を取り込み（流れＦ１）、吐出口６１２から吐出する（流れＦ２）。シロッコファン６１０から吐出された冷却空気は、光源用筐体１１４の側面に形成された一方の孔１１４ａからその内部に入って光源１１１を冷却し（流れＦ２１，Ｆ２２）、他方の孔１１４ｂから排出される（流れＦ３）。孔１１４ｂから排出された空気は、光源用筐体１１４の光源冷却部６００とは反対側に配置された排気ファン７００によって筐体８００の外に排出される（流れＦ４）。
【００３３】
図４（ａ）に示すように、シロッコファン６１０から吐出された冷却空気は、吐出口６１２が光源１１１の上側を向いていることから、光源１１１の下側の部位１１１ａ（流れＦ２２）より上側の部位１１１ｂ（流れＦ２１）に多く流れ、光源の上側をより冷却する。このため、シロッコファン６１０は、光源１１１の上下に温度差が少なくなるように冷却することができる。
【００３４】
図５は、天吊り姿勢のプロジェクタ１の断面図である。
図５に示すように、プロジェクタ１は、天吊り姿勢では、底面に天吊り金具８８０が取り付けられ、据置姿勢とは天地が反転した状態となる。天吊り姿勢においては、据置姿勢で光源の下側だった部位１１１ａは、上側になり、光源の上側だった部位１１１ｂは、下側になる。光源冷却部６００は、プロジェクタ１が据置姿勢から天吊り姿勢になるとき、重力作用によって軸心６５０を中心軸にして回動する（図５において反時計周り）。この結果、突出部６２１は、重力作用によって上側筐体８３０の突起８３２と当接するまで下降し、これに応じて吐出口６１２は、上昇して光源１１１の上側を向く。
【００３５】
光源１１１を冷却する冷却空気は、据置姿勢の場合と同様に流れＦ１〜Ｆ４に沿って流れるが、光源冷却部６００は、据置姿勢の場合とは異なる位置に向けて冷却空気を吐出する。シロッコファン６１０から吐出された冷却空気は、吐出口６１２が光源１１１の上側を向いていることから、光源１１１の下側の部位１１１ｂ（流れＦ２４）より上側の部位１１１ａ（流れＦ２３）に多く流れ、光源１１１の上側をより冷却する。このため、シロッコファン６１０は、光源１１１の上下に温度差が少なくなるように冷却することができる。
このように、光源冷却部６００は、据置姿勢と天吊り姿勢とでは、光源１１１の上下方向の異なる位置に向けて冷却空気を吐出し、常に光源１１１の上側を効率的に冷却するため、光源１１１の上下に温度差が少なくなるように冷却することができる。
【００３６】
以上説明したように、本実施形態のプロジェクタ１によれば、以下の効果を得ることができる。
（１）本実施形態のプロジェクタ１によれば、光源冷却部６００が光源１１１の上下の異なる位置に向けて冷却空気を吐出するように可動する構造であるため、据置姿勢および天吊り姿勢の双方の場合において、光源１１１の上側に向けて冷却空気を吐出することが可能となる。これによって、光源１１１を上下の温度差が低減するように冷却することができ、光源１１１の長寿命化を図ることが可能となる。また、光のスペクトル特性の劣化を抑制することができるので、画像品質の低下を抑制することが可能となる。
【００３７】
（２）本実施形態のプロジェクタ１によれば、光源冷却部６００は、羽根の回転により取り込んだ冷却空気を、回転接線方向に範囲を絞って吐出するシロッコファン６１０を備えているため、光源１１１を効率よく冷却することができる。
【００３８】
（３）本実施形態のプロジェクタ１によれば、光源冷却部６００が回動することによって、光源１１１の上下方向の異なる位置に向けて冷却空気を吐出する構成であるため、例えば、光源冷却部６００自体を上下動させる構成に比べて、簡略な構成とすることが可能となる。
【００３９】
（４）本実施形態のプロジェクタ１によれば、光源冷却部６００は、プロジェクタ１の姿勢の変化に連動して可動し、常に光源１１１の上側に向けて冷却空気を吐出するので、使用者によって光源冷却部６００を可動させる操作が不要となり、使用者に煩わしさを与えない。また、使用者による誤操作に起因する光源１１１の劣化を抑制することができる。
【００４０】
（５）本実施形態のプロジェクタ１によれば、光源冷却部６００が回動可能であるとともに、その重心Ｗが回動中心軸（軸心６５０）を通る鉛直面ＨＹに対し、吐出口６１２が配置された側とは反対側にあるため、据置姿勢および天吊り姿勢の双方の場合において、吐出口６１２が上側を向くことになる。このため、光源１１１の上下の温度差を容易に低減することが可能となる。
【００４１】
なお、本発明の実施形態は、以下のように変更してもよい。
（変形例１）
前記実施形態では、光源冷却部６００が回動することによって光源の異なる位置に向けて冷却空気を吐出しているが、回動以外、例えば、光源冷却部６００が上下方向に移動すること等により、光源１１１の異なる位置に向けて冷却空気を吐出する態様であってもよい。また、前記実施形態では、光源冷却部６００は、シロッコファン６１０の面６１０ａが略鉛直となるような向きで支えられて、シロッコファン６１０の羽根の回転方向と略同一方向、およびその反対方向に回動する構成を示したが、それとは異なる向きでシロッコファン６１０が支えられて回動する構成、例えば、シロッコファン６１０の面６１０ａが略水平となるような向きで支えられて、面６１０ａと水平面とからなる角度が増減するように回動する構成であってもよい。
【００４２】
（変形例２）
前記実施形態では、光源冷却部６００は、吐出口６１２が光源１１１の上下異なる位置に直接的に冷却空気を吐出する構成を示したが、ダクト等を介して、冷却空気の流路を曲げて間接的に光源１１１の上下方向の異なる位置に向けて冷却空気を吐出する構成であってもよい。
【００４３】
（変形例３）
前記実施形態では、光源冷却部６００は、重力作用によって、姿勢の変化に連動して可動しているが、姿勢を検知するセンサと、そのセンサの検知結果に基づいて光源冷却部６００を駆動する駆動部とをプロジェクタ１に備え、センサの検知結果に連動して光源冷却部６００が可動する態様であってもよい。その例を図６を用いて説明する。
【００４４】
図６は、変形例３のプロジェクタ１の概略構成を示すブロック図である。
図６に示すように、プロジェクタ１は、画像投写部９１０、検知部９２０、制御部９３０、駆動部９６０、光源冷却部６００、及び操作部９７０を備えている。
画像投写部９１０は、前記実施形態で説明した照明光学部１００、色分離光学部２００、リレー光学部３００、光変調部である液晶ライトバルブ４００Ｒ，４００Ｇ，４００Ｂ、クロスダイクロイックプリズム４５０、投写光学部５００および排気ファン７００を含んだ構成要素である。操作部９７０は、電源のオン、オフを行うための電源キーや、姿勢に応じて映像の上下を反転させるための映像反転キー等を備え、プロジェクタ１に対する各種指示を受け付ける。検知部９２０は、プロジェクタ１の据置姿勢および天吊り姿勢を検知する重力センサ等の姿勢センサであり、検知結果を制御部９３０に出力する。制御部９３０は、検知部９２０の検知結果に基づいて、光源冷却部６００が光源１１１の上側に向けて冷却空気を吐出するように駆動部９６０に指示をする。駆動部９６０は、冷却空気の吐出方向を切り換えるために、光源冷却部６００を駆動させるもの（例えば、モーター）であり、制御部９３０からの指示を受けて、光源冷却部６００を駆動する。光源冷却部６００は、駆動部９６０に駆動されて可動し、冷却空気を吐出する。この構成の場合も、前記実施形態の効果（１）、（４）と同様の効果を得ることが可能である。
【００４５】
（変形例４）
前記変形例３において、映像反転キーの操作に連動して、光源冷却部６００が可動する態様であってもよい。この場合には、制御部９３０が、映像反転キーの操作を受けて駆動部９６０に指示し、その指示に基づいて駆動部９６０が光源冷却部６００を駆動する。この場合には、検知部９２０を備える必要がなくなる。
また、操作部９７０の代わりに、リモコン（図示せず）で行った映像反転切り換え操作による出力により制御部９３０が駆動部９６０に指示し、その指示に基づいて駆動部９６０が光源冷却部６００を駆動してもよい。
【００４６】
（変形例５）
前記実施形態では、プロジェクタ１の姿勢の変化に連動して光源冷却部６００が可動する構成を示したが、天吊り金具８８０の着脱に連動して光源冷却部６００が可動する態様であってもよい。その例を図７（ａ）、（ｂ）を用いて説明する。
図７は、変形例５のプロジェクタ１の断面図であり、（ａ）は、据置姿勢のプロジェクタ１の断面図、（ｂ）は、天吊り姿勢のプロジェクタ１の断面図である。
図７（ａ）、（ｂ）に示すように、ホルダ６２０の端部（突出部６２１側の端部）には、Ｌ字状の突部６２２が形成され、突部６２２と下側筐体８４０との間には、ホルダ６２０の突出部６２１が下側筐体８４０側に付勢されるように引張りコイルバネ８５０が配置されている。天吊り金具８８０には、ホルダ６２０の突出部６２１を上側筐体８３０側に押しつける押圧突起８８５が形成され、下側筐体８４０には、押圧突起８８５が通る孔８４０ａが形成されている。
【００４７】
図７（ａ）に示すように、プロジェクタ１が天吊り金具８８０に取り付けられていない状態、すなわち据置姿勢の際には、引張りコイルバネ８５０の張力により突出部６２１が下側筐体８４０の突起８４２と当接するまで下降し、これに応じて吐出口６１２は、上昇して光源１１１の上側を向く。このため、光源冷却部６００は、光源１１１の上下に温度差が少なくなるように冷却することができる。
【００４８】
一方、図７（ｂ）に示すように、プロジェクタ１が天吊り金具８８０に取り付けられた状態、すなわち天吊り姿勢の際には、天吊り金具８８０の押圧突起８８５が引張りコイルバネ８５０の張力以上の力で突出部６２１を押し下げ、吐出口６１２は、上昇して光源１１１の上側を向く。このため、光源冷却部６００は、光源１１１の上下に温度差が少なくなるように冷却することができる。
【００４９】
（変形例６）
前記実施形態では、光変調部として透過型の液晶ライトバルブ４００Ｒ，４００Ｇ，４００Ｂを用いているが、反射型の液晶ライトバルブを利用したものや、マイクロミラーを用いたデバイス等を使用したものであってもよい。
【図面の簡単な説明】
【００５０】
【図１】本実施形態のプロジェクタの外観を示す斜視図であり、（ａ）は、据置姿勢のプロジェクタを示す図、（ｂ）は、天吊り姿勢のプロジェクタを示す図。
【図２】本実施形態のプロジェクタの概略構成を示す図。
【図３】光源冷却部を説明する図であり、（ａ）は、側面図、（ｂ）は、正面図。
【図４】据置姿勢のプロジェクタの断面図であり、（ａ）は、図２におけるＡ−Ａ断面図、（ｂ）は、図２におけるＢ−Ｂ断面図。
【図５】天吊り姿勢のプロジェクタの断面図。
【図６】変形例３のプロジェクタの概略構成を示すブロック図。
【図７】変形例５のプロジェクタの断面図であり、（ａ）は、据置姿勢のプロジェクタの断面図、（ｂ）は、天吊り姿勢のプロジェクタの断面図。
【符号の説明】
【００５１】
１…プロジェクタ、１００…照明光学部、１１０…光源装置、１１１…光源、１１２…リフレクタ、１１３…前面ガラス、１１４…光源用筐体、２００…色分離光学部、３００…リレー光学部、４００Ｒ，４００Ｇ，４００Ｂ…液晶ライトバルブ、４５０…クロスダイクロイックプリズム、５００…投写光学部、６００…光源冷却部、６１０…シロッコファン、６１１…吸気口、６１２…吐出口、６２０…ホルダ、６５０…軸心、７００…排気ファン、８００…筐体、８５０…コイルバネ、８８０…天吊り金具、８８５…押圧突起、９１０…画像投写部、９２０…検知部、９３０…制御部、９６０…駆動部、９７０…操作部、ＨＹ…鉛直面、Ｗ…重心。
【図１】
2008233150.tif 000003
【図２】
2008233150.tif 000004
【図３】
2008233150.tif 000005
【図４】
2008233150.tif 000006
【図５】
2008233150.tif 000007
【図６】
2008233150.tif 000008
【図７】
2008233150.tif 000009